(57)【要約】【課題】飼料ホッパー内の飼料がブリッジ現象を起生せず、底皿へと円滑に落下するようにするとともに、構造が簡単で、製造コストを要しない家畜用給餌器を提供する。【解決手段】家畜用給餌器１は、飼料ホッパー２内の下端開口付近に回転自在とした逆円錐台状を呈するブリッジ防止部材４を配設し、ブリッジ防止部材４の外周面と飼料ホッパー２の内壁面との間に狭い間隙Ｄを画成してある。仔豚が鼻又は口で作動部材６を回転させれば、ブリッジ防止部材４も回転し、ブリッジ防止部材４の上端面付近の飼料ａは攪拌されて、飼料ホッパー２の中央部に巣を形成させない。又、ブリッジが起生することもなく、間隙Ｄから円滑に飼料ａが落下していく。【選択図】              図３
2004180543.tif 000002
【特許請求の範囲】
【請求項１】
飼料ホッパー内の下端開口付近に回転自在とした逆円錐台状を呈するブリッジ防止部材を配設し、前記ブリッジ防止部材の外周面と前記飼料ホッパーの内壁面との間に狭い間隙を画成したことを特徴とする家畜用給餌器。
【請求項２】
回転支軸の上部に前記ブリッジ防止部材を連結するとともに、回転支軸の下端部に作動部材を連結し、家畜が鼻又は口で前記作動部材を回転させることによって、前記ブリッジ防止部材を回転させることを特徴とする請求項１に記載の家畜用給餌器。
【請求項３】
前記回転支軸に回転継手を介して掛止部材を連結し、この掛止部材と滑車とに掛止ワイヤーを掛け回し、前記飼料ホッパー内に配設した支持ワイヤーに前記滑車を滑動自在に配置し、前記支持ワイヤーを移動させることによって、前記滑車を上下移動させ、前記ブリッジ防止部材を上下移動させることを特徴とする請求項２に記載の家畜用給餌器。
【請求項４】
回転支軸の上部に前記ブリッジ防止部材を連結するとともに、回転支軸に連結支軸を介して支軸駆動装置を連結し、この支軸駆動装置を作動させることによって、前記ブリッジ防止部材を回転させることを特徴とする請求項１に記載の家畜用給餌器。
【請求項５】
飼料ホッパー内の下端開口付近に揺動自在とした円筒状を呈するブリッジ防止部材を配設し、前記ブリッジ防止部材の外周面と前記飼料ホッパーの内壁面との間に狭い間隙を画成したことを特徴とする家畜用給餌器。
【請求項６】
吊下部材の下端に前記ブリッジ防止部材を連結するとともに、前記ブリッジ防止部材の下端には作動部材を連結し、家畜が鼻又は口で前記作動部材を揺動させることによって、前記ブリッジ防止部材を揺動させることを特徴とする請求項５に記載の家畜用給餌器。
【発明の詳細な説明】
【０００１】
【発明の属する技術分野】
本発明は、仔豚等の家畜に餌を与えるための家畜用給餌器に関する。
【０００２】
【従来の技術】
従来、家畜用給餌器２０１として、図１０に示すように、飼料ホッパー２０２、案内筒体２０３、攪拌部材２０４、作動部材２０５、底皿２０６、給水パイプ２０７、給水器２０８等から構成されるものが知られている。
この家畜用給餌器２０１は、仔豚が鼻又は口で作動部材２０５を回転させ、攪拌部材２０４を回転させることによって、飼料ホッパー２０２内の飼料ａを攪拌し、案内筒体２０３から底皿２０６へと円滑に飼料ａを落下、供給するようになっている。
【０００３】
又、家畜用給餌器２５１として、図１１に示すように、飼料ホッパー２５２、案内筒体２５３、吊下部材２５４、支持部材２５５、底皿２５６、給水パイプ２５７、給水器２５８等から構成されるものが知られている（例えば、特許文献１参照）。
この家畜用給餌器２５１は、仔豚が鼻又は口で案内筒体２５３を揺動させ、吊下部材２５４を揺動させることによって、飼料ホッパー２５２内の飼料ａを攪拌し、案内筒体２５３から底皿２５６へと円滑に飼料ａを落下、供給するようになっている。
【０００４】
さらに、家畜用給餌器３０１として、図１２に示すように、飼料ホッパー３０２、排出量調整板３０３、吊下部材３０４、飼料調整機構３０５、底皿３０６、等から構成されるものが知られている。
この家畜用給餌器３０１は、飼料ホッパー３０２の断面形状と、飼料調整機構３０５によって排出量調整板３０３の高さを適宜調整することによって、飼料ホッパー３０２内の飼料ａを底皿３０６へと円滑に落下、供給するようになっている。
【０００５】
【特許文献１】
特開２０００−１６６４１４号公報
【０００６】
【発明が解決しようとする課題】
従来の家畜用給餌器２０１，２５１にあっては、飼料ホッパー２０２，２５２の下半部は逆円錐状であり、下端部は小径となっているため、下端部ではどうしても飼料ａが自重によって凝集し易く、いわゆるブリッジ現象を起生して、飼料ホッパー２０２，２５２から飼料ａが円滑に落下しない。
そのため、家畜用給餌器２０１，２５１にあっては、攪拌部材２０４を回転させ、又は吊下部材２５４を揺動させて、飼料ホッパー２０２，２５２内の飼料ａを攪拌しているが、攪拌部材２０４又は吊下部材２５４は飼料ホッパー２０２，２５２内の中央部に配設されているため、中央部付近の飼料ａは落下するが、飼料ホッパー２０２，２５２内壁面付近の飼料ａはブリッジ現象を起生して、円滑に落下しないという問題があった。
【０００７】
又、従来の家畜用給餌器３０１にあっても、飼料ホッパー３０２の断面積は下方に行くほど小となっており、下端部は狭小となっているため、下端部ではどうしても飼料ａが自重によって凝集し易く、いわゆるブリッジ現象を起生して、飼料ホッパー３０２から飼料ａが円滑に落下しない。
そのため、家畜用給餌器３０１にあっては、飼料調整機構３０５によって排出量調整板３０３の高さを適宜調整して、飼料ａを円滑に落下するようにしているが、飼料ホッパー３０２内壁面付近の飼料ａはブリッジ現象を起生して、円滑に落下しないという問題があった。
【０００８】
本発明は、かかる従来の問題点に鑑みて為されたものであり、その目的とするところは、飼料ホッパー内の飼料がブリッジ現象を起生せず、底皿へと円滑に落下するようにするとともに、構造が簡単で、製造コストを要しない家畜用給餌器を提供することにある。
【０００９】
【課題を解決するための手段】
上記目的を達成するため、本発明の家畜用給餌器は、飼料ホッパー内の下端開口付近に回転自在とした逆円錐台状を呈するブリッジ防止部材を配設し、前記ブリッジ防止部材の外周面と前記飼料ホッパーの内壁面との間に狭い間隙を画成したことを特徴とする。
【００１０】
ここで、回転支軸の上部に前記ブリッジ防止部材を連結するとともに、回転支軸の下端部に作動部材を連結し、家畜が鼻又は口で前記作動部材を回転させることによって、前記ブリッジ防止部材を回転させることが好ましい。
【００１１】
又、前記回転支軸に回転継手を介して掛止部材を連結し、この掛止部材と滑車とに掛止ワイヤーを掛け回し、前記飼料ホッパー内に配設した支持ワイヤーに前記滑車を滑動自在に配置し、前記支持ワイヤーを移動させることによって、前記滑車を上下移動させ、前記ブリッジ防止部材を上下移動させてもよい。
【００１２】
さらに、回転支軸の上部に前記ブリッジ防止部材を連結するとともに、回転支軸に連結支軸を介して支軸駆動装置を連結し、この支軸駆動装置を作動させることによって、前記ブリッジ防止部材を回転させてもよい。
【００１３】
本発明の家畜用給餌器は、又、飼料ホッパー内の下端開口付近に揺動自在とした円筒状を呈するブリッジ防止部材を配設し、前記ブリッジ防止部材の外周面と前記飼料ホッパーの内壁面との間に狭い間隙を画成したことを特徴とする。
【００１４】
ここで、吊下部材の下端に前記ブリッジ防止部材を連結するとともに、前記ブリッジ防止部材の下端には作動部材を連結し、家畜が鼻又は口で前記作動部材を揺動させることによって、前記ブリッジ防止部材を揺動させることが好ましい。
【００１５】
【発明の実施の形態】
以下、本発明の家畜用給餌器の好適な実施形態について、図面に基づいて詳細に説明する。
図１は本発明の家畜用給餌器の一実施例の斜視図、図２は図１の家畜用給餌器の縦断面図、図３は図１の家畜用給餌器の使用状態を示す縦断面図、図４は本発明の家畜用給餌器の他実施例の斜視図、図５は図４の家畜用給餌器の縦断面図、図６は本発明の家畜用給餌器の他実施例の使用状態を示す縦断面図、図７は図６の家畜用給餌器の要部斜視図、図８は本発明の家畜用給餌器の他実施例の斜視図、図９は図８の家畜用給餌器の使用状態を示す縦断面図である。
【００１６】
図１に示す家畜用給餌器１は、図１０に示す家畜用給餌器２０１と概略構成が同様のものであり、飼料ホッパー２、案内筒体３、ブリッジ防止部材４、回転支軸５、作動部材６、回転継手７、掛止部材８、掛止ワイヤー９、滑車１０、支持ワイヤー１１、ワイヤー固定用ボルト１２、ワイヤー調整用ボルト１３、底皿１４、給水パイプ１５、給水器１６等から構成される。
【００１７】
飼料ホッパー２の周面上端部にはワイヤー固定用ボルト１２を固定してあり、このワイヤー固定用ボルト１２に支持ワイヤー１１の一端部を係止してある。
又、ワイヤー固定用ボルト１２を固定した位置と対向する飼料ホッパー２の周面上端部の位置にはワイヤー挿通孔２ａ、調整用長孔２ｂを穿設してあり、調整用長孔２ｂ内にワイヤー調整用ボルト１３を移動自在に配置し、支持ワイヤー１１の他端部をワイヤー挿通孔２ａを通過させて、ワイヤー調整用ボルト１３に係止してある。
【００１８】
支持ワイヤー１１の中間部には滑車１０を滑動自在に配置してあり、この滑車１０に掛止ワイヤー９の上半部を掛け、下半部には掛止部材８を掛止してある。
掛止部材８と回転支軸５とは回転継手７を介して互いに回転自在に連結してあり、回転支軸５の上部にはブリッジ防止部材４を、下端部には作動部材６を連結してある。
又、回転支軸５は、案内筒体３内に支持部材１７を介して配設された保持筒体１８によって、適宜部所において回転自在に保持されている。
【００１９】
ブリッジ防止部材４は、逆円錐台状を呈し、飼料ホッパー２内の下端開口付近に配設してあり、ブリッジ防止部材４の外周面は、飼料ホッパー２の内壁面と略平行としてあり、それら面間には狭い間隙Ｄを画成してある。
【００２０】
家畜用給餌器１は、以上のような構成であるので、仔豚が鼻又は口で作動部材６を回転させれば、飼料ホッパー２内の下端開口付近に配設されたブリッジ防止部材４も回転する。
これによって、図３に示すように、ブリッジ防止部材４の上端面付近の飼料ａは攪拌されて、飼料ホッパー２の中央部にいわゆる巣を形成させないとともに、ブリッジ防止部材４の外周面と飼料ホッパー２の内壁面との間には狭い間隙Ｄしか画成されていないので、ブリッジが起生することもなく、間隙Ｄから円滑に飼料ａが落下していく。
【００２１】
尚、飼料ａの粒径、粘性等の特性によって、間隙Ｄの広狭を変更する必要がある場合には、ワイヤー調整用ボルト１３を適宜距離だけ上下移動させる。
これによって、図２に示すように、支持ワイヤー１１が移動し、滑車１０が上下移動するから、これに伴ってブリッジ防止部材４も上下移動し、間隙Ｄの広狭を容易に変更することができる。
【００２２】
図４に示す家畜用給餌器５１は、図１１に示す家畜用給餌器２５１と概略構成が同様のものであり、飼料ホッパー５２、案内筒体５３、ブリッジ防止部材５４、回転支軸５５、作動部材５６、回転継手５７、掛止部材５８、掛止ワイヤー５９、滑車６０、支持ワイヤー６１、ワイヤー固定用ボルト６２、ワイヤー調整用ボルト６３、底皿６４、給水パイプ６５、給水器６６等から構成される。
【００２３】
飼料ホッパー５２の周面上端部にはワイヤー固定用ボルト６２を固定してあり、このワイヤー固定用ボルト６２に支持ワイヤー６１の一端部を係止してある。
又、ワイヤー固定用ボルト６２を固定した位置と対向する飼料ホッパー５２の周面上端部の位置にはワイヤー挿通孔５２ａ、調整用長孔５２ｂを穿設してあり、調整用長孔５２ｂ内にワイヤー調整用ボルト６３を移動自在に配置し、支持ワイヤー６１の他端部をワイヤー挿通孔５２ａを通過させて、ワイヤー調整用ボルト６３に係止してある。
【００２４】
支持ワイヤー６１の中間部には滑車６０を滑動自在に配置してあり、この滑車６０に掛止ワイヤー５９の上半部を掛け、下半部には掛止部材５８を掛止してある。
掛止部材５８と回転支軸５５とは回転継手５７を介して互いに回転自在に連結してあり、回転支軸５５の上部にはブリッジ防止部材５４を、下端部には突出片６７ａを形成した連結部材６７を固着してある。一方、底皿６４上に載置された作動部材５６に嵌挿溝６８ａを形成した連結部材６８を固着してあり、この連結部材６８の嵌挿溝６８ａに前記連結部材６７の突出片６７ａを嵌挿することによって、回転支軸５５と作動部材５６とを連結してある。
又、回転支軸５５は、案内筒体５３内に支持部材６９を介して配設された保持筒体７０によって、適宜部所において回転自在に保持されている。
【００２５】
ブリッジ防止部材５４は、逆円錐台状を呈し、飼料ホッパー５２内の下端開口付近に配設してあり、ブリッジ防止部材５４の外周面は、飼料ホッパー５２の内壁面と略平行としてあり、それら面間には狭い間隙Ｄを画成してある。
【００２６】
家畜用給餌器５１は、以上のような構成であるので、仔豚が鼻又は口で作動部材５６を回転させれば、飼料ホッパー５２内の下端開口付近に配設されたブリッジ防止部材５４も回転する。
これによって、図５に示すように、ブリッジ防止部材５４の上端面付近の飼料ａは攪拌されて、飼料ホッパー５２の中央部にいわゆる巣を形成させないとともに、ブリッジ防止部材５４の外周面と飼料ホッパー５２の内壁面との間には狭い間隙Ｄしか画成されていないので、ブリッジが起生することもなく、間隙Ｄから円滑に飼料ａが落下していく。
【００２７】
尚、飼料ａの粒径、粘性等の特性によって、間隙Ｄの広狭を変更する必要がある場合には、ワイヤー調整用ボルト６３を適宜距離だけ上下移動させる。
これによって、図５に示すように、支持ワイヤー６１が移動し、滑車６０が上下移動するから、これに伴ってブリッジ防止部材５４も上下移動し、間隙Ｄの広狭を容易に変更することができる。
【００２８】
図６に示す家畜用給餌器１０１は、パイプラインを有する飼料搬送装置に飼料ａを供給するものであって、飼料ホッパー１０２、飼料供給箱体１０３、ブリッジ防止部材１０４、回転支軸１０５、連結支軸１０６、継手１０７、支軸駆動装置１０８、駆動ベルト１０９、プーリー１１０，１１１、駆動モーター１１２等から構成される。
【００２９】
支軸駆動装置１０８の駆動軸１０８ａと連結支軸１０６とは継手１０７を介して連結してある。連結支軸１０６の上端部には嵌挿溝１０６ａを形成し、回転支軸１０５の下端部には連結筒体１１３を固着し、この連結筒体１１３の下端部に嵌挿ピン１１４を配設してある。そして、連結支軸１０６の上端部に連結筒体１１３を被覆し、嵌挿ピン１１４を嵌挿溝１０６ａに嵌挿することによって、回転支軸１０５と連結支軸１０６とを連結してある。さらに、回転支軸１０５の上部にはブリッジ防止部材１０４を固着してある。
又、回転支軸１０５は、飼料供給箱体１０３内に支持部材１１５を介して配設された保持筒体１１６によって、適宜部所において回転自在に保持されている。
【００３０】
ブリッジ防止部材１０４は、逆円錐台状を呈し、飼料ホッパー１０２内の下端開口付近に配設してあり、ブリッジ防止部材１０４の外周面は、飼料ホッパー１０２の内壁面と略平行としてあり、それら面間には狭い間隙Ｄを画成してある。
【００３１】
家畜用給餌器１０１は、以上のような構成であるので、駆動モーター１１２を駆動させ、支軸駆動装置１０８を作動させれば、飼料ホッパー１０２内の下端開口付近に配設されたブリッジ防止部材１０４も回転する。
これによって、図６に示すように、ブリッジ防止部材１０４の上端面付近の飼料ａは攪拌されて、飼料ホッパー１０２の中央部にいわゆる巣を形成させないとともに、ブリッジ防止部材１０４の外周面と飼料ホッパー１０２の内壁面との間には狭い間隙Ｄしか画成されていないので、ブリッジが起生することもなく、間隙Ｄから円滑に飼料ａが落下していく。
【００３２】
尚、飼料ａの粒径、粘性等の特性によって、間隙Ｄの広狭を変更する必要がある場合には、連結支軸１０６を適宜距離だけ上下移動させれば、ブリッジ防止部材１０４も上下移動し、間隙Ｄの広狭を容易に変更することができる。
【００３３】
図８に示す家畜用給餌器１５１は、図１２に示す家畜用給餌器３０１と概略構成が同様のものであり、飼料ホッパー１５２、ブリッジ防止部材１５３、吊下部材１５４、飼料調整機構１５５、底皿１５６、給水パイプ１５７、給水器１５８等から構成される。
【００３４】
飼料調整機構１５５は、ハンドル１５９、ハンドル１５９の基端部に上端部を固着したネジ軸１６０、吊下部材１５４の上端部に固着され、ネジ軸１６０の下端部と螺合する連結部材１６１とから構成され、ネジ軸１６０は支持杆１６２を貫通して保持されている。
そして、吊下部材１５４の下端にブリッジ防止部材１５３を連結し、ブリッジ防止部材１５３の下端には作動部材１６３を連結してある。
【００３５】
ブリッジ防止部材１５３は、円筒状を呈し、飼料ホッパー１５２内の下端開口付近に配設してあり、ブリッジ防止部材１５３の外周面と飼料ホッパー１５２の内壁面との間には狭い間隙Ｄを画成してある。
【００３６】
家畜用給餌器１５１は、以上のような構成であるので、仔豚が鼻又は口で作動部材１６３を揺動させれば、飼料ホッパー１５２内の下端開口付近に配設されたブリッジ防止部材１５３も揺動する。
これによって、図９に示すように、ブリッジ防止部材１５３の上端面付近の飼料ａは攪拌されて、飼料ホッパー１５２の中央部にいわゆる巣を形成させないとともに、ブリッジ防止部材１５３の外周面と飼料ホッパー１５２の内壁面との間には狭い間隙Ｄしか画成されていないので、ブリッジが起生することもなく、間隙Ｄから円滑に飼料ａが落下していく。
【００３７】
尚、飼料ａの粒径、粘性等の特性によって、間隙Ｄの広狭を変更する必要がある場合には、飼料調整機構１５５のハンドル１５９を適宜回転させる。
これによって、図９に示すように、吊下部材１５４が上下移動するから、これに伴ってブリッジ防止部材１５３も上下移動し、間隙Ｄの広狭を容易に変更することができる。
【００３８】
又、本発明の家畜用給餌器は、何れも構造が簡単であるから、製造コストは低額ですみ、修理も容易である。
【図面の簡単な説明】
【図１】本発明の家畜用給餌器の一実施例の斜視図である。
【図２】図１の家畜用給餌器の縦断面図である。
【図３】図１の家畜用給餌器の使用状態を示す縦断面図である。
【図４】本発明の家畜用給餌器の他実施例の斜視図である。
【図５】図４の家畜用給餌器の縦断面図である。
【図６】本発明の家畜用給餌器の他実施例の使用状態を示す縦断面図である。
【図７】図６の家畜用給餌器の要部斜視図である。
【図８】本発明の家畜用給餌器の他実施例の斜視図である。
【図９】図８の家畜用給餌器の使用状態を示す縦断面図である。
【図１０】従来の家畜用給餌器の使用状態を示す縦断面図である。
【図１１】従来の家畜用給餌器の斜視図である。
【図１２】従来の家畜用給餌器の使用状態を示す斜視図である。
【符号の説明】
１，５１，１０１  家畜用給餌器
２，５２，１０２  飼料ホッパー
４，５４，１０４  ブリッジ防止部材
５，５５，１０５  回転支軸
６，５６  作動部材
７，５７  回転継手
８，５８  掛止部材
９，５９  掛止ワイヤー
１０，６０  滑車
１１，６１  支持ワイヤー
１０６  連結支軸
１０８  支軸駆動装置
１５１  家畜用給餌器
１５２  飼料ホッパー
１５３  ブリッジ防止部材
１５４  吊下部材
１６３  作動部材
Ｄ  間隙
【図１】
2004180543.tif 000003
【図２】
2004180543.tif 000004
【図３】
2004180543.tif 000005
【図４】
2004180543.tif 000006
【図５】
2004180543.tif 000007
【図６】
2004180543.tif 000008
【図７】
2004180543.tif 000009
【図８】
2004180543.tif 000010
【図９】
2004180543.tif 000011
【図１０】
2004180543.tif 000012
【図１１】
2004180543.tif 000013
【図１２】
2004180543.tif 000014